(57)【特許請求の範囲】
【請求項１】
主眼鏡に着脱眼鏡を付加的に着脱自在に取り付ける装置であって、
前記主眼鏡は磁性体から成るヨロイ部を有し、
前記着脱眼鏡は、前記ヨロイ部の左右各々について少なくとも２面で磁力により吸着する取付部を有し、
前記取付部は、前記主眼鏡の装着時における前記ヨロイ部の上面と前面が交差する角部に係合するよう形成され、この取付部の、前記ヨロイ部の露出する前記前面と前記上面それぞれに当接する面が、磁力により前記前面及び上面に吸着することを特徴とする着脱眼鏡取付装置。
【請求項２】
前記取付部には、前記主眼鏡の装着時における前記ヨロイ部の上面に当接する面と、この上面に交差する前面に当接する面とで露出するよう、永久磁石が設けられていることを特徴とする請求項１に記載の着脱眼鏡取付装置。
【請求項３】
主眼鏡に着脱眼鏡を付加的に着脱自在に取り付ける装置であって、
前記主眼鏡は磁性体から成るヨロイ部を有し、
前記着脱眼鏡は、前記主眼鏡への取り付け状態において前記ヨロイ部に対応する位置に設けられる取付部を有し、
前記取付部は、前記ヨロイ部において前記主眼鏡の装着時に略水平となる第１の受部に当接する第１の固着部と、前記ヨロイ部において前記主眼鏡の装着時に略垂直となる第２の受部に当接する第２の固着部とを有し、
前記第１の固着部に第１の永久磁石が配設され、第２の固着部に第２の永久磁石が配設され、
前記第１及び第２の受部それぞれは前記主眼鏡の装着時における前記ヨロイ部の露出する上面及び前面であることを特徴とする着脱眼鏡取付装置。
【請求項４】
前記第１および第２の固着部は一体的に形成されることを特徴とする請求項３に記載の着脱眼鏡取付装置。
【請求項５】
前記第１の固着部の当接面と前記第１の永久磁石の露出面が略同一平面を形成し、前記第２の固着部の当接面と前記第２の永久磁石の露出面が略同一平面を形成することを特徴とする請求項３に記載の着脱眼鏡取付装置。
【請求項６】
前記取付部は、前記着脱眼鏡のリムに固定される線状部材に保持されることを特徴とする請求項１〜５のいずれかに記載の着脱眼鏡取付装置。
【請求項７】
少なくともヨロイ部が磁性体から成る主眼鏡に付加的に着脱自在に取り付けられる着脱眼鏡であって、
前記主眼鏡に取り付けられる状態において前記ヨロイ部に対応する位置に設けられ、前記主眼鏡の装着時における前記ヨロイ部の露出する上面と前面が交差する角部に係合するよう形成された取付部を備え、
この取付部の、前記ヨロイ部の前記前面と前記上面にそれぞれ当接する面が、磁力により前記前面及び上面に吸着することを特徴とする着脱眼鏡。
【発明の詳細な説明】
【０００１】
【発明の属する技術分野】
本発明は、眼鏡のフレームに着脱自在な着脱眼鏡の取付装置に関する。
【０００２】
【従来の技術】
従来、眼鏡のフレームにレンズ部材が着脱可能なレンズ部材取付装置として、前掛け式のものがあった。すなわち、レンズ部材に設置された鉤型の取り付け部分を眼鏡側のレンズあるいはフレームに引っ掛けるようにして乗せるタイプのものである。また、眼鏡のヨロイ部およびレンズ部材の縁部に磁石を設け、磁力によりレンズ部材を眼鏡フレームに固定するタイプのものもあった。
【０００３】
【発明が解決しようとする課題】
しかし、前掛け式のレンズ部材取付装置は、レンズが眼鏡に強固に固定されないため、眼鏡のレンズの左右方向あるいはレンズを取り外す方向に、僅かな力が加わっただけでレンズが所定の位置からずれたり、眼鏡から離脱してしまうという欠点があった。また、レンズの取り付け状態を強固なものにしようとすると、取付部分が複雑化したり、着脱の操作が面倒になるという問題があった。
【０００４】
一方、従来の磁石付きのレンズ部材取付装置は、眼鏡とレンズ部材の磁石の面が双方のレンズ面と平行に設けられているので、レンズ面に平行な方向の力を受けるとレンズが眼鏡に対してずれやすいという問題があった。
【０００５】
本発明は、このような問題に鑑み、着脱が容易で、しかも眼鏡フレームに強固に固着されて眼鏡フレームから離脱しにくい着脱眼鏡の取付装置を提供することを目的としている。
【０００６】
【課題を解決するための手段】
本発明に係る着脱眼鏡取付装置は、主眼鏡に着脱眼鏡を付加的に着脱自在に取り付ける装置であって、主眼鏡は磁性体から成るヨロイ部を有し、着脱眼鏡は、ヨロイ部の左右各々について少なくとも２面で磁力により吸着する取付部を有することを特徴とする。
【０００７】
例えば、取付部には、主眼鏡の装着時における上面に当接する面と、この上面に交差する前面に当接する面とで露出するよう、永久磁石が設けられている。
【０００８】
また、本発明に係る着脱眼鏡取付装置は、主眼鏡に着脱眼鏡を付加的に着脱自在に取り付ける装置であって、主眼鏡は磁性体から成るヨロイ部を有し、着脱眼鏡は、主眼鏡への取り付け状態においてヨロイ部に対応する位置に設けられる取付部を有し、取付部は、ヨロイ部において主眼鏡の装着時に略水平となる第１の受部に当接する第１の固着部と、ヨロイ部において主眼鏡の装着時に略垂直となる第２の受部に当接する第２の固着部とを有し、第１の固着部に第１の永久磁石が配設され、第２の固着部に第２の永久磁石が配設されていることを特徴としており、好ましくは、第１および第２の固着部は一体的に形成される。
【０００９】
好ましくは、第１の固着部の当接面と第１の永久磁石の露出面が略同一平面を形成し、第２の固着部の当接面と第２の永久磁石の露出面が略同一平面を形成する。
【００１０】
取付部は、例えば着脱眼鏡のリムに固定される線状部材に保持される。
【００１１】
また、本発明に係る着脱眼鏡は、少なくともヨロイ部が磁性体から成る主眼鏡に付加的に着脱自在に取り付けられる着脱眼鏡であって、主眼鏡に取り付けられる状態においてヨロイ部に対応する位置に設けられ、主眼鏡の装着時におけるヨロイ部の上面と前面が交差する角部に係合するよう形成された取付部を備え、この取付部の、ヨロイ部の前面と上面にそれぞれ当接する面に、永久磁石が設けられていることを特徴とする。
【００１２】
また、本発明に係る主眼鏡は、着脱眼鏡が付加的に取り付け可能な主眼鏡であって、ヨロイ部が磁性体から成ることを特徴とする。
【００１３】
【発明の実施の形態】
以下、本発明の実施の形態を図面を参照して説明する。
図１は、本発明の実施形態が適用される主眼鏡１０の平面図であり、図２は主眼鏡１０の正面図である。主眼鏡１０において、レンズ１１、１２を保持するリム１３、１４はブリッジ１５で連結され、リム１３はヨロイ部１６を介してテンプル１７と連結され、リム１４はヨロイ部１８を介してテンプル１９と連結されている。ヨロイ部１６、１８は磁性体を成型したものである。以上のように、主眼鏡１０は、ヨロイ部１６、１８が磁性体から成ることを除けば、従来から用いられている一般的な構成を有する眼鏡である。
【００１４】
図３は、本発明に係る実施形態が適用されるサングラス（着脱眼鏡）２０の正面図であり、図４はサングラス２０の平面図である。サングラス２０は彩色の施されたレンズ２１、２２と、レンズ２１、２２をそれぞれ保持するリム２３、２４と、リム２３とリム２４を連結するブリッジ２５とを備える。リム２３、２４においてブリッジ２５と反対側には、サングラス２０を上述の主眼鏡１０に取り付けるための取付部２６、２８がそれぞれ設けられる。
【００１５】
図５および図６は、取付部２６をそれぞれ図３、４と同じ方向から示す拡大図である。取付部２６は、リム２３に固定される線状部材３０と、線状部材３０に支持されるマグネットホルダ４０とを有する。線状部材３０はリム２３の前面側（主眼鏡１０に取り付けられた状態における主眼鏡１０の反対側）に固定される固定部３０Ａ、３０Ｂと、固定部３０Ａ、３０Ｂを連結する支持部３０Ｃとから成る。支持部３０Ｃは略矩形を形成するよう屈曲されており、レンズ２１の表面に沿うようブリッジ２５と反対側、すなわち外方に突出している。マグネットホルダ４０は支持部３０Ｃに支持される。
【００１６】
図７は、マグネットホルダ４０を図５の右側から拡大して示す、一部断面図である。マグネットホルダ４０は、第１の固着部４１と第２の固着部４２から成る。第１の固着部４１は、支持部３０Ｃに支持された状態でレンズ２１の表面と交差する方向に延びる当接面４１Ａを有し、第２の固着部４２は、支持部３０Ｃに支持された状態でレンズ２１の表面と略平行となる当接面４２Ａを有する。すなわち、マグネットホルダ４０は、主眼鏡１０の装着時におけるヨロイ部１６の上面１６Ａ（図１参照）と前面１６Ｂ（図２参照）が交差する角部に係合するよう形成されている。サングラス２０の取付状態において、当接面４１Ａはヨロイ部１６の上面１６Ａに当接し、当接面４２Ａはヨロイ部１６の前面１６Ｂに当接する。第１および第２の固着部４１、４２には、それぞれ永久磁石４３、４４が設けられている。永久磁石４３はその露出面が当接面４１Ａと略同一平面を形成するよう配設され、永久磁石４４はその露出面が当接面４２Ａと略同一平面を形成するよう配設される。また、第２の固着部４２の外周面には、線状部材３０の支持部３０Ｃ（図５、６参照）が嵌合する溝４２Ｂが全周にわたって形成されている。
【００１７】
尚、以上の説明において、ヨロイ部１６と取付部２６について説明したが、ヨロイ部１８、取付部２８も同様の構成を有することは言うまでもない。
【００１８】
サングラス２０を主眼鏡１０に取り付けるには、図８に示すように、マグネットホルダ４０の当接面４１Ａおよび当接面４２Ａを、それぞれヨロイ部１６の上面１６Ａ、前面１６Ｂに対応付けるよう取付部２６をヨロイ部１６に近づければよい。上述のように、ヨロイ部１６は磁性体からなるため、マグネットホルダ４０は磁力により容易に吸着する。ヨロイ部１８、取付部２８においても同様の操作をすればよい。サングラス２０を主眼鏡１０から取り外すには、磁力による吸着力に抗して取付部２６（２８）をヨロイ部１６（１８）から離脱させればよい。
【００１９】
尚、図９に示すように、マグネットホルダ４０において永久磁石４３、４４の代わりに単一の永久磁石４５を用いてもよい。永久磁石４５は、永久磁石４３、４４に相当する交差する２つの薄板状の部分が一体的に形成されており、断面形状はＬ字型を呈する。永久磁石４５は、この２つの薄板状の部分がそれぞれ第１の固着部４１、第２の固着部４２に位置するよう設けられる。このようなマグネットホルダ４０を有するサングラス２０の主眼鏡１０への着脱の態様は、上述と同様である。
【００２０】
以上のように、本実施形態によれば、サングラス２０の取付部２６、２８の当接面と主眼鏡１０のヨロイ部１６、１８の外周面とを当接させることによりサングラス２０が主眼鏡１０に取り付けられるので、その着脱は容易である。さらに、ヨロイ部１６、１８の交差する２面を介して取付部２６、２８が磁力により吸着しているので、サングラス２０が主眼鏡１０から安易に離脱することが防止される。
【００２１】
また、本実施形態によれば、主眼鏡１０においてヨロイ部１６、１８を磁性体で成型するのみでよく、付加的に取り付けられるサングラス２０のための特別な機構を設ける必要がないため、製造が容易である。
【００２２】
尚、本実施形態では着脱眼鏡をサングラスとしたが、これに限定するものではなく、近眼用の通常のマイナスレンズが嵌め込まれている眼鏡に、レンズがプラスレンズの着脱眼鏡を装着してもよい。マイナスレンズとプラスレンズを組み合わせることにより老眼に対応することができ、同一の眼鏡フレームで遠近両用に使用することが可能となる。
【００２３】
【発明の効果】
以上のように本発明によれば、着脱が容易で、しかも眼鏡フレームに強固に固着されて眼鏡フレームから離脱しにくい着脱眼鏡の取付装置が得られる。
【図面の簡単な説明】
【図１】本発明に係る実施形態が適用される主眼鏡の平面図である。
【図２】主眼鏡の正面図である。
【図３】本発明に係る実施形態が適用される着脱眼鏡の正面図である。
【図４】着脱眼鏡の平面図である。
【図５】着脱眼鏡の取付部を拡大して示す正面図である。
【図６】着脱眼鏡の取付部を拡大して示す平面図である。
【図７】取付部のマグネットホルダの一部断面図である。
【図８】着脱眼鏡を主眼鏡に取り付けようとする状態を示す斜視図である。
【図９】マグネットホルダの変形例の一部断面図である。
【符号の説明】
１０  主眼鏡
１１、１２  レンズ
１３、１４  リム
１５  ブリッジ
１６、１８  ヨロイ部
１７、１９  テンプル
２０  サングラス
２１、２２  レンズ
２３、２４  リム
２５  ブリッジ
２６、２８  取付部
３０  線状部材
４０  マグネットホルダ
４３、４４、４５  永久磁石
【図１】
0003881541.tif 000002
【図２】
0003881541.tif 000003
【図３】
0003881541.tif 000004
【図４】
0003881541.tif 000005
【図５】
0003881541.tif 000006
【図６】
0003881541.tif 000007
【図７】
0003881541.tif 000008
【図８】
0003881541.tif 000009
【図９】
0003881541.tif 000010